(57)【要約】【課題】開口枠に壁部材を取り付ける際に生じる虞のある開口枠の表面に対する壁部材の表面の傾斜を調整し得るようにする。【解決手段】開口枠と壁部材の取付構造は、開口枠１の縦枠材１ａに於ける少なくとも２個所から壁面方向に延長片４を突出させ、壁部材３の裏面３ｂに固定され且つ延長片４と対向して調整片６を配置し、且つ壁部材３を開口枠１に固定する固定手段となるボルト９ａ，ナット９ｂを有し、延長片４に設けた一対の雌ネジ部４ｆに調整ネジ８を螺合して開口枠１と壁部材３の取付状態を調整し、その後、ボルト９ａ，ナット９ｂによって壁部材３を開口枠１に固定する。【選択図】図１
2004190411.tif 000002
【特許請求の範囲】
【請求項１】
開口枠に沿って壁部材を取り付ける取付構造であって、開口枠の少なくとも上下２個所から壁面方向に突出させた延長片と、壁部材の裏面に固定され且つ前記延長片と対向して配置された調整片と、壁部材を開口枠に固定する固定手段とを有し、前記延長片に於ける前記調整片と対向する位置に一対の雌ネジ部を形成すると共にこれらの雌ネジ部に調整ネジを螺合して開口枠と壁部材の取付状態を調整した後、固定手段によって固定することを特徴とする開口枠と壁部材の取付構造。
【発明の詳細な説明】
【０００１】
【発明の属する技術分野】
本発明は、開口枠に沿って壁部材を取り付ける際に、開口枠の表面に対する壁部材の表面の傾きを調整し得るようにした開口枠と壁部材の取付構造に関するものである。
【０００２】
【従来の技術】
住宅では、躯体に開口枠を取り付けると共に該開口枠の周囲に軽量気泡コンクリートパネル（ＡＬＣパネル）やコンクリートパネル（ＰＣパネル）等の壁パネルを取り付けて、壁（外壁）及び壁の窓や出入口等を構成することが多くなっている。このように、壁パネルと開口枠とによって連続した壁面を構成する場合、開口枠を構成する枠部材と壁パネルとの間に棒状の壁部材を配置すると共に該壁部材を開口枠に取り付けることがある。
【０００３】
棒状の壁部材を開口枠に取り付ける構造について図５により簡単に説明する。開口枠51の縦枠51ａには上下方向の少なくとも２個所に取付片51ｂが設けられており、これらの取付片51ｂに夫々Ｗ字状或いはクランク状の第１固定部材52が固定されている。また壁部材53の裏面側にはＷ字状或いはクランク状の第２固定部材54が配置され、ボルト55を利用して壁部材53に固定されている。更に、第１固定部材52と第２固定部材54は互いにボルト56を利用して固定され、これにより、壁部材53は開口枠51に取り付けられている。従って、壁部材53は開口枠51に連結され、壁パネル57との縁は切られている。
【０００４】
上記各固定部材52，54は、ピース状の金物によって構成され、開口枠51の取付片51ｂ，壁部材53に対してボルト56によって固定されると共に、互いにボルト56によって固定される。また各固定部材52，54は、壁パネル57の表面に対する壁部材53の出入りを調整する機能や、壁部材53の上下方向の取付位置を調整する機能を有する。このため、壁部材53を開口枠51に取り付ける過程で該壁部材53の取付状態を壁パネル57に応じて調整することが可能であり、壁を良好に仕上げることが出来る。
【０００５】
また単に、コーナー部分に配置されたパネルを角形鋼管からなる柱に取り付ける際に高さや回転角を含む位置決め調整し得るようにしたものもある（例えば特許文献１参照）。この技術は、コーナー柱に取り付ける支持金具に上下方向の高さ調整用の支持ボルトを設け、この支持ボルトにコーナーパネルのブラケットを支持させることで振れを防止し得るように構成されている。また回転調整ボルトにより回転方向の位置決めを行っている。
【０００６】
【特許文献１】
特開平０８−２１８５３５号公報
【０００７】
【発明が解決しようとする課題】
上記従来の取付構造では、棒状の壁部材に捩れが生じたり、固定部材の成形形状に公差範囲内の変形が生じた場合、壁部材の表面が開口枠の表面に対して傾斜することがあるが、この傾斜を調整し得ないという問題がある。
【０００８】
また特許文献１に係る技術では、コーナーパネルを柱に取り付ける際の高さや回転角の調整をし得るものの、開口枠表面に対する壁表面の傾斜、出入り対策を考慮したものではないという問題がある。
【０００９】
本発明の目的は、開口枠に壁部材を取り付ける際に生じる虞のある開口枠の表面に対する壁部材の表面の傾斜を調整し得るようにした開口枠と壁部材の取付構造を提供することにある。
【００１０】
【課題を解決するための手段】
上記課題を解決するために本発明に係る開口枠と壁部材の取付構造は、開口枠に沿って壁部材を取り付ける取付構造であって、開口枠の少なくとも上下２個所から壁面方向に突出させた延長片と、壁部材の裏面に固定され且つ前記延長片と対向して配置された調整片と、壁部材を開口枠に固定する固定手段とを有し、前記延長片に於ける前記調整片と対向する位置に一対の雌ネジ部を形成すると共にこれらの雌ネジ部に調整ネジを螺合して開口枠と壁部材の取付状態を調整した後、固定手段によって固定するものである。
【００１１】
上記取付構造では、開口枠から壁面方向に設けた延長片に、壁部材の裏面に固定された調整片を対向させ、一対の雌ネジ部に夫々調整ネジを螺合して調整することで、延長片と調整片との距離及び平行度、即ち、相対的な位置関係を調整することが出来る。前記調整の結果、開口枠の表面或いは壁面の表面に対する壁部材の表面の傾斜を調整することが出来る。
【００１２】
上記調整は少なくとも２個所で互いに独立して行うことが出来る。このため、少なくとも２個所で開口枠の表面，壁面と壁部材の表面との平行度を調整することが出来、壁部材に捻りが生じている場合、或いは固定部材に変形が生じて壁部材の表面が開口枠の表面或いは壁面に対して傾斜しているような場合であっても、回転と出入り調整することにより傾斜を調整することが出来る。
【００１３】
【発明の実施の形態】
以下、本発明に係る取付構造の好ましい実施形態について説明する。本発明の取付構造は、開口枠を躯体に固定して壁面に窓や出入口等の開口部を構成する際に、壁面を構成する部材と開口枠との間に配置した特に棒状の壁部材の開口枠に対する取付構造に関するものであり、特に、壁部材の表面と開口枠の表面或いは壁面との平行度を調整し得るようにしたものである。
【００１４】
本発明に於いて、住宅は木造であって良く、鉄骨躯体を有する鉄骨造であっても良い。また壁面を構成する部材としても特に限定するものではなく、軽量気泡コンクリートパネル（ＡＬＣパネル）やコンクリートパネル（ＰＣパネル）等の壁パネルを利用することが可能である。何れにしても、窓や出入口等の開口部を有する壁面を構成する場合、開口部を開口枠を用いて構成すると共に、開口枠と壁面を構成する壁パネルとの間に棒状の壁部材を配置して構成したものであれば良い。
【００１５】
棒状の壁部材とは、開口枠を構成する縦材の長さと等しいか或いは壁パネルの長さと等しい棒状の材であれば良く、材料を限定するものではない。しかし、材料は壁パネルと同じであることが好ましく、壁部材と壁パネルを同じ材料とすることで、壁面の質感に違和感が生じることがない。従って、壁部材もＡＬＣ或いはＰＣによって構成することが好ましい。
【００１６】
また壁部材の断面形状も特に限定するものではなく、矩形断面や長方形断面或いはＬ字型断面等であって良い。例えば、外壁の出隅部に用いる部材としてコーナーパネルが提供されているが、このコーナーパネルを用いることによって標準的な部品を使用し得ることとなり有利である。
【００１７】
開口枠は少なくとも２個所に壁面方向に突出させた延長片を有することが必要であり、この延長片を有するものであれば、壁に窓や出入口を構成するためにサッシメーカーから標準的な製品として提供されているものを用いることが可能である。そして。このような標準製品を利用することで、コストの上昇を招くことなく開口部を有する壁面を構成することが可能である。
【００１８】
上記延長片は、開口枠に対し着脱可能に設けられていても良く、開口枠の一部として予め剛的に一体化して設けられていても良い。延長片の所定位置には一対の雌ネジ部が形成されており、該雌ネジ部に夫々調整ネジを螺合し得るように構成されている。
【００１９】
調整片は壁部材の裏面に固定されて開口枠に設けた延長片と対向して配置される。このため、延長片に形成された一対の雌ネジ部に調整ネジを螺合させて締めつけると夫々の調整ネジの先端が調整片の表面に当接する。従って、調整ネジの延長片に対する螺合長さを調整することで、壁部材の開口枠に対する姿勢を調整することが可能であり、壁部材の表面の開口枠の表面或いは壁面の表面に対する傾斜を所望の状態に調整することが可能となる。
【００２０】
固定手段は、壁部材を開口枠に固定する機能を有するものであり、この機能を発揮し得るものであれば用いることが可能である。固定手段と、調整片とは互いに独立した機能であるため、相互の位置関係については特に限定するものではない。しかし、壁部材の調整作業や壁部材の固定作業を円滑に行うことを考慮したとき、両者は接近した位置に配置されていることが好ましい。
【００２１】
以下、本発明に係る取付構造の好ましい実施例について図を用いて説明する。図１は第１実施例に係る取付構造の平面図である。図２は第１実施例に係る取付構造の展開説明図である。図３は第２実施例に係る取付構造の平面図である。図４は第２実施例に係る取付構造の展開説明図である。
【００２２】
先ず、図１，２により第１実施例に係る取付構造について説明する。図に於いて、開口枠１は玄関ドアを構成するためのものであり、図示しない住宅の躯体に固定されている。住宅の躯体には、ＡＬＣパネルやＰＣパネル等からなる複数の外壁パネル２が取り付けられ、この外壁パネル２によって外壁が形成されている。
【００２３】
開口枠１と外壁パネル２の間には壁部材３が配置されると共に、開口枠１の縦枠材１ａに取り付けられている。本実施例に於いて、壁部材３としては断面がＬ字型のコーナーパネルが用いられており、２つの片３ａの何れかの片３ａ（外壁パネル２と接続する側の片３ａ）に、表面３ｄから裏面３ｂ側に向けて穴３ｃが形成されている。
【００２４】
壁部材３は、開口枠１を構成する縦枠材１ａの少なくとも２個所に形成された座１ｂにボルト５ａ，ナット５ｂを利用して取り付けられた延長片４と、壁部材３の裏面にボルト７ａ，ナット７ｂを利用して取り付けられた調整片６と、調整ネジ８及び固定手段となるボルト９ａ，ナット９ｂとを利用することによって、開口枠１に取り付けられている。
【００２５】
延長片４は、開口枠１の座１ｂに取り付けられる取付片４ａと、取付片４ａから略直角に起立する起立片４ｂと、起立片４ｂの端部から壁面方向に向けて屈折する屈折片４ｃとを有するクランク状に成形されたピース状の金物として構成されている。
【００２６】
取付片４ａには高さ方向（開口枠１の座１ｂに取り付けたときに上下方向に配置される）に長穴４ｄが形成されており、取付高さを調整し得るように構成されている。また屈折片４ｃには突起部４ｅが形成されており、該突起部４ｅを形成することによって曲げ剛性を向上させている。また突起部４ｅには一対の雌ネジ部４ｆが形成されており、該一対の雌ネジ部４ｆの間にボルト９ａを挿通する長穴４ｇが形成されている。
【００２７】
従って、延長片４を開口枠１の座１ｂに取り付けたとき、屈折片４ｃが壁面方向に突出することとなる。
【００２８】
調整片６は、壁部材３の裏面３ｂに取り付けられるため、該壁部材３の裏面３ｂの形状と類似したクランク状に形成されたピース状の金物として構成されている。本実施例では、壁部材３としてコーナーパネルを用いるため、該コーナーパネルの一方向の片３ａに形成された穴３ｃに挿通されたボルト７ａを利用して固定される。このため、調整片６は、ボルト７ａを挿通する固定片６ａと、固定片６ａから起立する起立片６ｂと、延長片４の屈折片４ｃと対向して調整ネジ８の先端が当接する当接片６ｃと、を有して構成されている。
【００２９】
特に、当接片６ｃの所定位置（延長片４の屈折片４ｃを対向させたとき、長穴４ｇと対向する位置）には、固定手段を構成するボルト９ａが取り付けられている。このボルト９ａは頭部が当接片６ｃの壁部材３の裏面３ｂとの接触面側に突出することのないように、当接片６ｃの対応する位置に膨出部６ｄが形成され、該膨出部６ｄに頭部を嵌合させて取り付けられている。
【００３０】
従って、調整片６の固定片６ａにボルト７ａを挿通すると共に該ボルト７ａを壁部材３に形成した穴３ｃに挿通し、ナット７ｂを締結することで、壁部材３の裏面３ｂに固定される。
【００３１】
次に、上記の如くして開口枠１に設けた延長片４と夫々対応する位置に調整片６を固定した壁部材３を、開口枠１に取り付けて壁部材３の表面３ｄの開口枠１或いは外壁パネル２によって構成された外壁面２ａに対する傾斜、出入りを調整する手順について説明する。
【００３２】
調整片６を固定した壁部材３を延長片４と対向させると共に、ボルト９ａを延長片４の屈折片４ｃに形成された長穴４ｇに嵌合させ、ナット９ｂを仮締結することで、該壁部材３を開口枠１に仮止めする。この状態では、壁部材３は開口枠１に対し、単に、少なくとも２本のボルト９ａを介して係止されているのみであって、該ボルト９ａを支点として外壁パネル２による壁面の面内で回動し、或いは壁面の面外方向に自由に出入りすることが可能である。
【００３３】
次に、延長片４の屈折片４ｃに形成した一対の雌ネジ部４ｆに夫々調整ネジ８を螺合し、先端部を調整片６の当接片４ｃに当接させる。その後、壁部材３の表面３ｄの開口枠１の表面及び、又は外壁面２ａに対する傾斜や出入りを監視すると共にナット９ｂのボルト９ａに対する締結状態を調整しつつ、各延長片４毎に設けた調整ネジ８の螺合長さを調整する。そして、壁部材３の表面３ｄの開口枠１，外壁面２ａに対する傾斜，出入りの調整、長穴４ｇを利用した壁面上での上下の傾き及び左右の隙間の調整等が終了した後、ナット９ｂをボルト９ａに強固に締結することで、壁部材３を開口枠１に取り付けることが可能である。このように、長穴４ｇを利用することによって、壁面上で上下の傾きや左右の外壁パネル２及び開口枠１との隙間を調整することが可能となる。
【００３４】
上記の如く、少なくとも２個所に設けた延長片４と調整片６に配置された夫々２本の調整ネジ８の螺合長さを調整することで、表面３ｄの開口枠１，外壁面２ａに対する姿勢を調整することが可能である。この作業は、単に調整ネジ８を所望の方向に回転させるという簡単な操作によって行うことが可能であるため、施工性を向上させると共に、取付精度を向上させることが可能である。
【００３５】
上記構成に於いて、ボルト７ａ，８，９ａが互いに平行に配置されているため、開口枠１に壁部材３を取り付ける作業や壁部材３の開口枠１に対する取付作業，取付位置の調整作業を含む諸作業を屋内側から行うことが可能であり、作業性を向上することが可能である。
【００３６】
また壁部材３を開口枠１に取り付ける際に、調整片６に固定されたボルト９ａに延長片４を挟んでナット９ｂによって固定するので、ナット９ｂを締結したとき、ボルト８，９ａに作用する力は互いに反対方向となる。このとめ、一度占めた後は緩むことがない。
【００３７】
壁部材がコーナーパネルや棒状のパネルである場合、これらのパネルは変形し易く、取付位置や姿勢の調整を行う必要性が高いが、上記構成ではこれらの調整を合理的に行うことが可能である。特に、コーナーパネルや棒状パネルの回転，出入り，傾きを調整可能な手段を簡単な構造とすることが困難であった。
【００３８】
更に、壁部材３を上下２個所で固定することで、取付姿勢の調整を極めて簡単に行うことが可能である。また３個所で固定する場合、壁部材がある程度柔らかいパネルであるときは、該パネルに発生したそりを強制することが可能である。
【００３９】
次に、図３，４により第２実施例に係る取付構造について説明する。尚、図に於いて前述の第１実施例と同一の部分及び同一の機能を有する部分には同一の符号を付して説明を省略する。本実施例では、開口枠11として勝手口ドアを利用しており、縦枠材11ａの断面形状が第１実施例の縦枠材１ａと異なる。このため、延長片12も第１実施例の延長片４とは異なる形状を持って形成されている。
【００４０】
開口枠11の縦枠材11ａとしては、壁の厚さ方向に配置されたドアフレームを利用しており、該ドアフレーム（縦枠材11ａ）の上下方向の少なくとも２個所にボルト５ａ，ナット５ｂによって延長片12が取り付けられている。
【００４１】
延長片12は、開口枠11の縦枠材11ａに取り付けられる取付片12ａと、取付片12ｂから略直角に折曲られた折曲片12ｈと、該折曲片12ｈから略直角に起立する起立片12ｂと、起立片12ｂの端部から壁面方向に向けて屈折する屈折片12ｃとを有するクランク状に成形されたピース状の金物として構成されている。
【００４２】
取付片12ａには第１実施例の延長片４と同様に高さ方向に長穴12ｄが形成されており、取付高さを調整し得るように構成されている。また屈折片12ｃには突起部12ｅが形成されており、該突起部12ｅを形成することによって曲げ剛性を向上させている。また突起部12ｅには一対の雌ネジ部12ｆが形成されており、該一対の雌ネジ部12ｆの間にボルト９ａを挿通する長穴12ｇが形成されている。
【００４３】
従って、延長片12を開口枠11の縦枠材11ａに取り付けたとき、屈折片12ｃが壁面方向に突出する。
【００４４】
上記の如く構成された本実施例であっても、延長片12の屈折片12ｃ及び該屈折片12ｃに形成された雌ネジ部12ｆ，長穴12ｇは第１実施例に於ける延長片４の屈折片４ｃと同一であり、且つ壁部材３の裏面３ｂに固定された調整片６も第１実施例と同一の形状である。
【００４５】
このため、壁部材３を開口枠11に取り付ける作業や、壁部材３の表面３ｄの開口枠11，外壁面２ａに対する姿勢を調整する作業を前述の第１実施例と同様に確実に且つ容易に行うことが可能である。
【００４６】
【発明の効果】
以上詳細に説明したように本発明に係る取付構造では、開口枠から壁面方向に設けた延長片に壁部材の裏面に固定された調整片を対向させ、一対の雌ネジ部に夫々調整ネジを螺合して調整することで、開口枠の表面或いは壁面の表面に対する壁部材の表面面内に直交する方向の傾斜と出入り、及び面内の傾斜や隙間を調整することが出来る。この調整を少なくとも２個所で互いに独立して行うことで、開口枠の表面，壁面と壁部材の表面との平行度を調整し、壁部材に捻りが生じている場合、或いは固定部材に変形が生じて壁部材の表面が開口枠の表面或いは壁面に対して傾斜しているような場合であっても、この傾斜を調整することが出来る。
【００４７】
上記調整は延長片に設けた雌ネジ部に対する調整ネジの螺合長さを調整することで行われるため、極めて容易な作業で壁部材の開口枠或いは壁面に対する傾斜及び出入りの調整を行うことが出来る。このため、施工性を向上させると共に取付精度を向上させることが出来る。
【図面の簡単な説明】
【図１】第１実施例に係る取付構造の平面図である。
【図２】第１実施例に係る取付構造の展開説明図である。
【図３】第２実施例に係る取付構造の平面図である。
【図４】第２実施例に係る取付構造の展開説明図である。
【図５】従来の取付構造を説明する図である。
【符号の説明】
１，11                      開口枠
１ａ，11ａ                  縦枠材
１ｂ                        座
２                          外壁パネル
２ａ                        表面
３                          壁部材
３ａ                        片
３ｂ                        裏面
３ｃ                        穴
３ｄ                        表面
４，12                      延長片
４ａ，12ａ                  取付片
４ｂ，12ｂ                  起立片
４ｃ，12ｃ                  屈折片
４ｄ，12ｄ                  長穴
４ｅ，12ｅ                  突起部
４ｆ，12ｆ                  雌ネジ部
４ｇ，12ｇ                  長穴
12ｈ                        折曲片
５ａ，７ａ，９ａ            ボルト
５ｂ，７ｂ，９ｂ            ナット
６                          調整片
６ａ                        固定片
６ｂ                        起立片
６ｃ                        当接片
６ｄ                        膨出部
８                          調整ネジ
【図１】
2004190411.tif 000003
【図２】
2004190411.tif 000004
【図３】
2004190411.tif 000005
【図４】
2004190411.tif 000006
【図５】
2004190411.tif 000007